(57)【特許請求の範囲】
【請求項１】
回線からファクシミリ情報を受信して画情報メモリに一時記憶した後、該画像メモリに記憶したファクシミリ情報を、接続された情報処理装置上のファクシミリ通信用のアプリケーション（ＦＡＸアプリ）に送出するファクシミリ装置であって、
受信の際にメッセージ前手順でやり取りされる送信局識別情報（ＴＳＩ）を記憶するＴＳＩ記憶手段と、
上記画情報メモリに一時記憶した上記ファクシミリ情報を上記ＦＡＸアプリに送出する際に、上記ＴＳＩ記憶手段で記憶した上記ＴＳＩコードのうち、所定の標準コード（０〜９、スペース、＋）以外のコードをスペースに置き換える手段と、
上記コードを置き換えたＴＳＩを、上記ＦＡＸアプリに通知する通知手段と
を設けたことを特徴とするファクシミリ装置。
【請求項２】
請求項１に記載のファクシミリ装置において、
通信前に交換機から通知される発信側電話番号を記憶する発信電話番号記憶手段を設け、
上記通知手段は、上記ＴＳＩ記憶手段で上記ＴＳＩを記憶していない場合、上記発信電話番号記憶手段で記憶した上記発信側電話番号を上記ＦＡＸアプリに通知することを特徴とするファクシミリ装置。
【請求項３】
請求項１、もしくは、請求項２のいずれかに記載のファクシミリ装置において、
テスト用の上記ＴＳＩを上記ＦＡＸアプリに通知する手段を設け、上記ＦＡＸアプリによる解読結果に基づき、予め上記標準コード以外のコードを特定しておくことを特徴とするファクシミリ装置。
【発明の詳細な説明】
【０００１】
【発明の属する技術分野】
本発明は、パーソナルコンピュータ（以下、「ＰＣ」と記載）やワークステーション等の情報処理装置とのインタフェース機能を有するファクシミリ装置に係り、特に、メモリ受信によりファクシミリ装置の伝送制御機能を利用した高信頼なファクシミリ通信を、情報処理装置上のファクシミリ通信用のアプリケーション（以下、「ＦＡＸアプリ」と記載）に提供可能なファクシミリ装置に関するものである。
【０００２】
【従来の技術】
従来、ファクシミリ装置を利用して、例えばＰＣ上のＦＡＸアプリと相手先の装置（ファクシミリ装置やＰＣ）との間でファクシミリ情報を送受信する技術では、ファクシミリ装置を単にモデムとして用いているものが一般的である。しかし、この技術では、ファクシミリ装置が有する高信頼で効率的な伝送制御機能、例えば、ＥＣＭ（Ｅｒｒｏｒ  Ｃｏｒｒｅｃｔｉｏｎ  Ｍｏｄｅ、送信中に電話回線等の影響により画情報を正常に送信できなかったときに、その部分を自動的に送り直す機能）などの伝送エラー制御機能やデータ圧縮機能などを利用できない。
【０００３】
このような問題を解決して、ファクシミリ装置が有する高信頼で効率的な伝送制御機能を利用する技術としては、ＳＡＦ（Ｓｔｏｒｅ  ａｎｄ  Ｆｏｒｗａｒｄ）技術を用いたメモリ受信がある。
このメモリ受信では、回線から送られてきた画情報を画情報メモリに一旦蓄積した後、この画情報メモリからＰＣのＦＡＸアプリに送信するので、回線を介してのファクシミリ情報の伝送制御を、ファクシミリ装置の伝送制御機能を用いて行うことができる。
【０００４】
すなわち、ＰＣのＦＡＸアプリでは、クラス２（ＥＩＡ／ＴＩＡ−ＳＰ２３８８Ａ規格）での通信を行うのでＥＣＭ通信を使用することができず、また一般的には非標準機能に対応しておらず使用することができないが、このように、一度画情報メモリにファクシミリ情報を蓄積してからのメモリ受信では、ＦＡＸアプリに依存しないので、ＥＣＭ通信や非標準機能を使用することができる。
【０００５】
このようにしてメモリ受信したファクシミリ情報のファクシミリ装置からＦＡＸアプリへの送信は、一般的にＡＴコマンド（米国ＨＡＹＥＳ社が開発したモデム制御命令）を用いた標準的な手順を使用して行なわれる。すなわち、それぞれ異なるメーカで製造されたファクシミリ装置とＦＡＸアプリとを任意に組み合わせて使用できるようにするために、ファクシミリ装置とＦＡＸアプリ間での信号のやり取りは、ＦＡＸアプリとモデム装置間で一般的に用いられているＡＴコマンドに基づき行われることが多い。
【０００６】
このように、ファクシミリ装置とＦＡＸアプリ間では、ＡＴコマンド等の標準的な交信手順が用いられている。しかし、メモリ受信時にファクシミリ装置が交信する送信局識別（ＴＳＩ：Ｔｒａｎｓｍｉｔｔｉｎｇ  Ｓｔａｔｉｏｎ  Ｉｄｅｎｔｉｆｉｃａｔｉｏｎ）等に関しては、非標準プロトコルで交信されている場合、そのコード体系等がＡＴコマンドで定義されているものと異なることがある。例えば、ＡＴコマンドにおいては、ＴＳＩフレームとして標準で「０」〜「９」、「スペース」、「＋」の使用が定められているが、非標準プロトコルでは、これらのコード以外のコードがＴＳＩフレームに入る場合がある。そのため、ファクシミリ装置とＦＡＸアプリ間の通信においては、ＴＳＩはファクシミリ装置からＦＡＸアプリに通知されない。
【０００７】
【発明が解決しようとする課題】
解決しようとする問題点は、従来の技術では、メモリ受信においては、ファクシミリ装置からＦＡＸアプリには、ＴＳＩが通知されていない点である。
本発明の目的は、これら従来技術の課題を解決し、任意のＦＡＸアプリでの、メモリ受信によるファクシミリ装置の高度な伝送制御手順による画情報の受信と送信元の確認を可能とするファクシミリ装置を提供することである。
【０００８】
【課題を解決するための手段】
上記目的を達成するため、本発明のファクシミリ装置は、呼設定手順後のメッセージ前手順でやり取りされたＴＳＩをシステムメモリ９等（ＴＳＩ記憶手段）に記憶しておき、主制御部（ＣＰＵ）１（通知手段）により、シリパラ変換装置１２を介してＰＣ１３（ＦＡＸアプリ）に、受信して画情報メモリ６に蓄積しておいたファクシミリ情報を送出する際に、記憶しておいたＴＳＩを通知する構成とする。また、発信電話番号表示サービスにより交換機から通信前に通知される発信側電話番号を、ＴＳＩと同様に記憶し（発信電話番号記憶手段）、ＴＳＩを記憶していない場合には、この発信側電話番号をＦＡＸアプリに通知する構成とする。また、テスト用に任意のＴＳＩをＦＡＸアプリに通知して、ＦＡＸアプリで解読できないコードを予め判別し登録しておき、受信したＴＳＩのコードの内、ＦＡＸアプリで解読できないコード（「０〜９、スペース、＋」以外）を全てスペースに置き換えてＦＡＸアプリに通知する構成とする。
【０００９】
【発明の実施の形態】
以下、本発明の実施例を、図面により詳細に説明する。
図１は、本発明のファクシミリ装置の本発明に係る構成の一実施例を示すブロック図である。
本例のファクシミリ装置は、主制御部（図中、「ＣＰＵ」と記載）１、スキャナ２、プロッタ３、ページメモリ４、圧縮再生装置５、画情報メモリ６、バス７、オペポート８、システムメモリ９、通信制御装置１０、網制御装置１１、シリパラ変換装置１２により構成され、シリパラ変換装置１２を介してＰＣ（パーソナルコンピュータ）１３に、また、網制御装置１１を介して回線１４に接続されている。
【００１０】
主制御部１はＣＰＵ（Ｃｅｎｔｒａｌ  Ｐｒｏｃｅｓｓｉｎｇ  Ｕｎｉｔ）からなりファクシミリ装置の全体動作制御を行い、スキャナ２は送信原稿からのファクシミリ情報の読み込みを行う。ページメモリ４はファクシミリ情報をページ単位で記録し、プロッタ３はページメモリ４からのファクシミリ情報を印字出力する。圧縮再生装置５はファクシミリ情報の符号化（圧縮）／復号化（伸長）を行い、画情報メモリ６は送受信対象のファクシミリ情報を蓄積する。バス７は各処理構成部間を接続して信号を伝送する。
【００１１】
オペポート８はＬＣＤ（Ｌｉｑｕｉｄ  Ｃｒｙｓｔａｌ  Ｄｉｓｐｌａｙ）やキーボタン等を有し操作者との入出力処理を行い、システムメモリ９は主制御部１の処理用のプログラムや処理結果等を記憶する。通信制御装置１０はモデム（ＭＯＤＥＭ：ＭＯｄｕｌｅｒ／ＤＥＭｏｄｕｌｅｒ）機能を有してディジタル信号とアナログ信号の変換を行い、網制御装置１１は回線１４との接続制御を行い、シリパラ変換装置１２はＲＳ２３２ＣによるＰＣ１３との接続制御を行う。
【００１２】
このような構成での本例のファクシミリ装置によるメモリ受信は、図２（ａ）、（ｂ）に示すように二つの動作に分かれる。
図２は、図１におけるファクシミリ装置のメモリ受信に係る機能の構成例を示すブロック図である。
図２（ａ）は、回線１４から画情報メモリ６への通常の受信動作を示しており、まず、回線１４からのファクシミリ情報を、網制御装置（図中、「ＮＣＵ」と記載）１１を介して受信する。
【００１３】
このファクシミリ情報は通信制御装置（図中、「モデム」、「ＥＣＭバッファ」と記載）１０に送られ、通信制御装置１０では、具備したモデム機能によりアナログデータをディジタルデータに変換してＥＣＭバッファに出力する。このディジタルデータまでは圧縮データであり、この圧縮データを画像メモリ（図中、「ＳＡＦ」と記載）６に蓄積すると同時に、圧縮再生装置（図中、「ＤＣＲ」と記載）５により生データ（非圧縮データ）に戻し、ＥＣＭにより、回線１４からのデータが正しいか否かをチェックする。
【００１４】
その後、画像メモリ６に蓄積したファクシミリ情報を、図１のプロッタ３で出力せず、図２（ｂ）に示すように、ＰＣ１３へ送信する。
図２（ｂ）は、画像メモリ６に蓄積したファクシミリ情報をＡＴコマンドを使用してＰＣ１３側に送信する動作を示している。
ＰＣ１３上のＦＡＸアプリ（ファクシミリ通信用のアプリケーション）は、回線を使用しての通常のクラス２での受信を行っていることになっているが、ファクシミリ装置側では、ＰＣ１３とのＡＴコマンドのやり取りだけを行っている。
【００１５】
すなわち、画情報メモリ６から圧縮データを取り出し、圧縮再生装置（図中、「ＤＲ」、「ＬＢ」、「ＤＣ」、「バッファ」と記載）５に渡す。圧縮再生装置５では、まず、画情報メモリ６から取り出した圧縮データをデコード（復号化、伸長）して生データに変換しラインバッファに格納し、さらに、ＦＡＸアプリのモードに合わせて生データを圧縮（符号化）する。尚、この圧縮を行う前に、時刻等の付加情報をファクシミリ情報に埋め込んでも良い。このようにして圧縮されたファクシミリ情報（圧縮データ）を、バッファを介してＰＣ１３との接続速度に整合させ、シリパラ変換装置（図中、「２３２Ｃ」と記載）１２でパラレル／シリアル変換してＰＣ１３に送信する。
【００１６】
このように、一度、画情報メモリ６にファクシミリ情報を蓄積してからＰＣ１３へ送信するメモリ受信では、回線上での交信はＦＡＸアプリに依存しない。このことにより、従来のＦＡＸアプリではできなかったＥＣＭ通信や非標準機能を使用することが可能となる。これにより、非標準でのＴＳＩを入手できる。
非標準プロトコルでのコード体系がＡＴコマンドで定義されているもの（「０〜９」、「スペース」、「＋」）と異なる場合には、非標準でのＴＳＩに関しては、ＦＡＸアプリでは正しく解読できない場合もがあるが、解読できる場合もある。
【００１７】
そこで、本例のファクシミリ装置では、図１の主制御部１により、メモリ受信動作で入手したＴＳＩをそのまま、もしくは、ＡＴコマンドで定義されているもの（「０〜９」、「スペース」、「＋」）以外のコードを全て「スペース」に置き換えてＰＣ１３のＦＡＸアプリ側に送出する。
以下、図３を用いて、メモリ受信時のファクシミリ装置とＰＣ１３間での、ＴＳＩの通知を含めた交信手順を説明する。
【００１８】
図３は、図１におけるファクシミリ装置とＰＣ間での交信手順例を示す説明図である。
本例は、特に、メモリ受信終了後のファクシミリ装置とＰＣ間での交信動作例を示し、図中のＤＴＥコマンドはＰＣ上のＦＡＸアプリ側から送出されるＡＴコマンドであり、ＤＣＥレスポンスはファクシミリ装置側からの信号（メモリ受信で相手先装置から既に受信済で記録しておいたものを含む）である。
まずフェーズＡにおいて、ファクシミリ装置からＰＣに「ＲＩＮＧ」を送信し、ＰＣのＦＡＸアプリに起動をかける。起動したＦＡＸアプリは、受信の準備ができると「ＡＴＡ（アンサーモードで応答する）」を返す。
【００１９】
次のフェーズＢにおいて、「ＡＴＡ」を受けたファクシミリ装置は、「＋ＦＣＯＮ」でフラグの受信を、また、「＋ＦＴＳＩ」で「ＴＳＩフレーム」を、「＋ＦＤＣＳ」で「ＤＣＳ」コードを通知し、そして、「ＯＫ」を返してコマンドが正しく実行されたことを通知する。この「ＯＫ」を受け取ったＦＡＸアプリは、「ＡＴ＋ＦＤＲ」を送出して「ＴＣＦ」のチェックを要求する。この要求に対応してファクシミリ装置は「＋ＦＣＦＲ」を返し、「ＴＣＦ」のチェック結果を「ＣＦＲ」で相手先装置に送出した（送出済み）旨を通知する。
【００２０】
次のフェーズＣにおいて、ファクシミリ装置はＦＡＸアプリに、相手先装置からの「キャリア」を受信した旨を「ＣＯＮＮＥＣＴ」で通知する。この通知を受けたＦＡＸアプリは、「ＤＣ２」を送出して、ファクシミリ情報の受信を要求する。
この要求に対応してファクシミリ装置は、画情報メモリに蓄積済みのファクシミリ情報をＦＡＸアプリに転送し、「ＤＬＥ」と「ＥＴＸ」を送出して、相手先装置からの「ＲＴＣ」の受信（受信済み）を通知する。
【００２１】
さらにフェーズＤにおいて、ファクシミリ装置はＦＡＸアプリに、「＋ＦＰＴＳ：１」により、相手先装置から受信したページが正常であることを通知し、また、「＋ＦＥＴ：２」により、相手先装置から「ＥＯＰ」を受けたことを通知し、そして、「ＯＫ」を返してコマンドが正しく実行されたことを通知する。この「ＯＫ」を受けたＦＡＸアプリは、「ＡＴ＋ＦＤＲ」を返し、それに対応してファクシミリ装置は、「＋ＦＨＮＧ」と「ＯＫ」をＦＡＸアプリに通知する。
【００２２】
そしてフェーズＥにおいて、ＦＡＸアプリはファクシミリ装置に「ＡＴＨ０」を送出して回線断を指示し、これに対応して、ファクシミリ装置はＦＡＸアプリに「ＯＫ」を返す。
このような手順で、ファクシミリ装置とＦＡＸアプリ間での交信が行われ、そのフェーズＢにおいて、ＴＳＩがＦＡＸアプリに渡される。
このようにメモリ受信では、相手先識別情報として、相手先装置から送られてくるＴＳＩフレームから得ることができる。
【００２３】
このＴＳＩフレームについては、上述したように、標準モードの交信では、「０〜９」と「スペース」および「＋」が使用コードとして決まっているが、非標準モードの交信では各メーカに任せられており決める必要はない。一方、ＡＴコマンドでは標準モードの交信となり、非標準モードの交信で受信したＴＳＩフレームをＦＡＸアプリに対して送出すると、機種によっては受け付けられない場合がある。
しかし、ＦＡＸアプリ側でも、１バイトで有限個（２５６文字）の文字で表示できる可能性もあり、本実施例では、ファクシミリ装置の機能を用いて受信したＴＳＩフレームを、ＦＡＸアプリが表示できるか否かに係らず、そのままＦＡＸアプリに送出している。
【００２４】
ＦＡＸアプリ側で「０〜９」と「スペース」および「＋」以外のコードを解読できない場合に対処するために、ＴＳＩフレームをＦＡＸアプリに送出する時点で、図１の主制御部１により１文字ずつチェックし、「０〜９」と「スペース」および「＋」以外のコードを全て「スペース」に置き換える。
このように、ＴＳＩフレームを、コードを置き換えて送るか、そのまま送るかは、図１のオペポート８からのユーザ操作で指示設定できる。
あるいは、予めテストによりＦＡＸアプリで表示できないコードを確認しておき、当該コードのみを「スペース」等に置き換えるようにすることもできる。
【００２５】
すなわち、予めＴＳＩフレームのテスト用のパターンを用意しておき、テストモードでそのパターンをＦＡＸアプリに送出し、ＦＡＸアプリの受信結果を検証することにより、この送出したパターンの内、ＦＡＸアプリで表示できないコードを抽出する。テスト用のパターンとしては、２５６文字を、２０文字あるいは１６文字ずつ順次に選択して構成し、それを「＋ＦＴＳＩ」として、ＦＡＸアプリとの１交信毎に送出する。そして、各交信毎、あるいは、テスト交信が全て終わった後に、パターンをファクシミリ装置側の表示部に表示、もしくはレポートとして印字出力し、ＦＡＸアプリ側の受信ログと照らし合わせ、不一致となったコードを、「スペース」への置き換え対象として登録しておく。
【００２６】
また、相手先識別情報としては、「ＴＳＩフレーム」以外にも、例えば、網（交換機）側から提供される通信前情報通知サービスにおける発信電話番号表示サービスを利用することができる。
この発信電話番号表示サービスは、発信回線の電話番号等の情報を通知するサービスであり、この情報は、交換機からＩＴＵ−Ｔ勧告Ｖ．２３に準拠したＭＯＤＥＭ信号により送出される。その情報内容は、キャラクタ２０文字以内でローマ字用ＪＩＳ単位符号である。
【００２７】
発信電話番号表示サービスの契約者回線に接続されたファクシミリ装置に着信があると、ファクシミリ装置からの一次応答信号（直流ループ）の受信後、加入者線交換機からファクシミリ装置に、発信電話番号が送出されるので、ファクシミリ装置は、この発信電話番号を相手先識別情報として記憶しておく。そして、相手先装置からのファクシミリ情報のメモリ受信後、蓄積したファクシミリ情報の送信前に、記憶した発信電話番号をＦＡＸアプリに送出する。このように、着信時に発信電話番号表示サービスを利用することにより、例えば、回線上でＴＳＩフレームを送ってこない場合にも、相手先装置を識別することができる。
【００２８】
図４は、相手先識別情報を記憶するメモリの領域構成例を示す説明図である。本例では、ＴＳＩフレームを記憶する領域４１と、発信電話番号表示サービスによる発信電話番号を記憶する領域４２、さらに、本体のＣＳＩ（Called Station Identification、被呼局識別）を記憶する領域４３が設けられている。そして、図１のファクシミリ装置の主制御部１は、領域４１、領域４２、領域４３の順で検索し、最初に検出した情報（ＴＳＩフレーム、発信電話番号、ＣＳＩ）をＦＡＸアプリに通知する。
【００２９】
以下、図５、図６を用いて上述のファクシミリ装置の動作説明を行う。図５および図６は、図１におけるファクシミリ装置の本発明に係る動作例を示すフローチャートである。本例のファクシミリ装置は、まず、図５に示すように、着呼を受けると（ステップ５０１）、フェーズＡ，Ｂでの呼設定およびメッセージ前手順の交信を行い（ステップ５０２）、その交信時に得たＴＳＩフレームを図４に示した領域４１に記憶する（ステップ５０３）。尚、発信電話番号表示サービスを利用している場合には、発信電話番号を図４の領域４２に、また、常に本体のＣＳＩを図４の領域４３に記憶する。
【００３０】
その後、フェーズＣでのファクシミリ情報（ファクシミリメッセージ）のメモリ受信を行い（ステップ５０４）、受信終了すれば（ステップ５０５）、フェーズＤでのメッセージ後手順、および、フェーズＥでの呼復旧を行い回線を解放する（ステップ５０６）。
このようにしてメモリ受信が終了した後、以下図６に示すように、ＰＣのＦＡＸアプリに「ＲＩＮＧ」（ベルがなっている状態）を送出し、ＦＡＸアプリからの「ＡＴＡ」（アンサーモードで応答）を待つ（ステップ６０１，６０２）。
【００３１】
ＦＡＸアプリからの「ＡＴＡ」を受け取ると、図４に示したメモリ領域４１〜４３を検索する（ステップ６０３）。まず、図４の領域４１を検索してＴＳＩフレームが記憶されているか否かを判別し（ステップ６０４）、記憶されていれば、このＴＳＩフレームの内容が標準コードで構成されているか否かを判別する（ステップ６０５）。全て標準コードであればそのまま、また、非標準コードを含む場合は、当該コードをスペースに置き換えて（ステップ６０６）、ＦＡＸアプリ側に送出する（ステップ６０７）。
【００３２】
また、ステップ６０４において、図４の領域４１にＴＳＩフレームが記憶されていなければ、図４の領域４２に発信電話番号が記憶されているか否かを判別する（ステップ６０８）。記憶されていれば、この発信電話番号をＦＡＸアプリ側に送出し（ステップ６０９）、また、記憶されていなければ、図４の領域４３に記憶されている本体ＣＳＩをＦＡＸアプリ側に送出する（ステップ６１０）。
【００３３】
このようにして、ＴＳＩフレーム、発信電話番号、本体ＣＳＩのいずれかをＦＡＸアプリに送出した後、図５のステップ５０４で受信し画情報メモリに蓄積したファクシミリ情報を、復号化、再圧縮（ＦＡＸアプリに合わせて）等した後、ＦＡＸアプリ側に送出する（ステップ６１１）。全ての送信が完了すれば（ステップ６１２）、ＦＡＸアプリとの接続を切る（ステップ６１３）。
【００３４】
以上、図１〜図６を用いて説明したように、本実施例のファクシミリ装置では、メモリ受信時に、相手先装置から通知されたＴＳＩフレームを記憶しておき、メモリ受信で蓄積したファクシミリ情報のＦＡＸアプリへの送信時に、記憶しておいたＴＳＩフレームを通知する。このことにより、ファクシミリ装置で非標準通信を行うと共に、ＦＡＸアプリに相手先識別情報を渡すことができ、ＦＡＸアプリ側で相手先を確認することができる。
【００３５】
また、予めＦＡＸアプリで解読できないコードを特定し登録しておくことにより、非標準通信で入手したＴＳＩフレームの内、ＦＡＸアプリで解読できないコードを判別し、当該コードをスペース等に置き換えてＦＡＸアプリに渡すことが容易にできる。また、送信先識別情報としては、ＴＳＩフレームだけではなく、発信電話番号表示サービスで通知される発信電話番号も利用することができ、ＴＳＩフレームが入手できなかった場合には、この発信電話番号をＦＡＸアプリへ通知することもできる。
【００３６】
尚、本発明は、図１〜図６を用いて説明した実施例に限定されるものではなく、その要旨を逸脱しない範囲において種々変更可能である。例えば、本例では、図４に示す構成で、ＴＳＩフレームと発信電話番号およびＣＳＩをまとまった領域に登録しているが、ＣＳＩは予め決まっているので別の領域に登録する構成としても良い。また、本例ではＰＣ（パーソナルコンピュータ）を例として説明したが、ワークステーション等、ＦＡＸアプリを使用できる情報処理装置にも適用できる。
【００３７】
【発明の効果】
本発明によれば、メモリ受信において、ファクシミリ装置からＦＡＸアプリにＴＳＩ等の相手先識別情報を通知でき、任意のＦＡＸアプリでの、メモリ受信によるファクシミリ装置の高度な伝送制御手順によるファクシミリ情報の受信と送信元の確認が可能となる。
【図面の簡単な説明】
【図１】本発明のファクシミリ装置の本発明に係る構成の一実施例を示すブロック図である。
【図２】図１におけるファクシミリ装置のメモリ受信に係る機能の構成例を示すブロック図である。
【図３】図１におけるファクシミリ装置とＰＣ間での交信手順例を示す説明図である。
【図４】相手先識別情報を記録するメモリの領域構成例を示す説明図である。
【図５】図１におけるファクシミリ装置の本発明に係る動作例の１／２部分を示すフローチャートである。
【図６】図１におけるファクシミリ装置の本発明に係る動作例の２／２部分を示すフローチャートである。
【符号の説明】
１：主制御部、２：スキャナ、３：プロッタ、４：ページメモリ、５：圧縮再生装置、６：画情報メモリ、７：バス、８：オペポート、９：システムメモリ、１０：通信制御装置、１１：網制御装置、１２：シリパラ変換装置、１３：ＰＣ（パーソナルコンピュータ）、１４：回線、４１〜４３：領域。
【図１】
0003591684.tif 000002
【図２】
0003591684.tif 000003
【図３】
0003591684.tif 000004
【図４】
0003591684.tif 000005
【図５】
0003591684.tif 000006
【図６】
0003591684.tif 000007